【事件の表示】
　特願２００４−３２１４１８「長尺の基礎パッキン」拒絶査定不服審判事件〔平成１７年　２月１０日出願公開、特開２００５−　３６６４７〕について、次のとおり審決する。
【結　論】
　本件審判の請求は、成り立たない。
【理　由】
【１】手続の経緯
　本願は、平成１４年４月１１日に出願した特願２００２−１０８９６６号の一部を平成１６年１１月５日に新たな特許出願としたものであって、平成１９年４月２５日付けで拒絶査定がなされ、これに対し、同年６月１１日に拒絶査定に対する審判請求がなされるとともに、同日付けで手続補正がなされたものである。
　その後、平成２０年１１月７日付けで審判請求人に前置報告書の内容を示し意見を求めるための審尋を行ったところ、平成２１年１月９日付けで回答書が提出されたものである。
　
【２】平成１９年６月１１日付けの手続補正についての補正の却下の決定
［補正の却下の決定の結論］
　平成１９年６月１１日付けの手続補正（以下、「本件補正」という。）を却下する。
　
［理由］
［１］補正後の本願発明
　本件補正により、特許請求の範囲の請求項１は、以下のように補正された。
「幅方向に抜ける通気孔が多数形成され、更に、基礎パッキンの平面中央部には、アンカーボルト用の孔が全長に亘って複数並べて形成されていて、布基礎と土台との間に、互に連結されて全長に亘って介装される、合成樹脂製の長尺の基礎パッキンに於いて、通気孔の断面形状は、やや縦長の４角形で、互に隣接させて、基礎パッキンの全長に亘って多数連続状に形成され、かつ、通気孔の端の口壁には、テーパが付されており、更に、通気孔は、左右の側壁と、上下いずれか一方の壁との３方囲繞形態であり、複数のアンカーボルト用の孔の形成位置は、基礎パッキンの長手方向に非対称になっていると共に、両端部に位置するアンカーボルト用の孔のうち一方が端部方向に開放されており、アンカーボルト用の孔と、アンカーボルトの位置とが合わない場合には、向きを逆にして連結することにより、合わせることができ、更に、基礎パッキンの両端には、連結用の凸部と凹部とが共に形成され、かつ、凸部と凹部との形成位置は、基礎パッキンの長手方向の向きを逆にしても連結できるようになっていることを特徴とする長尺の基礎パッキン。」
　
　上記補正は、基礎パッキンが合成樹脂製であること、通気孔の断面形状が、やや縦長の４角形で、互に隣接させて、基礎パッキンの全長に亘って多数連続状に形成され、かつ、通気孔の端の口壁には、テーパが付されており、更に、通気孔は、左右の側壁と、上下いずれか一方の壁との３方囲繞形態であること、及びアンカーボルト用の孔と、アンカーボルトの位置とが合わない場合には、向きを逆にして連結することにより、合わせることができることを限定するものであって、特許請求の範囲の減縮を目的とする。
　そこで、本件補正後の上記請求項１に係る発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）否かについて、以下に検討する。
　
［２］引用刊行物
　
　刊行物１：特開２００２−７０１８７号公報
　刊行物２：特開平１０−２９２５０１号公報
　
　本願出願前に頒布され、原査定の拒絶の理由に引用された上記刊行物１には、図面とともに、以下のことが記載されている。
　
（１ａ）
「【請求項１】  基礎上端に敷き込まれて、基礎と基礎上に構築される建造物本体との間に介在される台輪において、
前記基礎の長手方向に沿って配置される台輪本体と、
前記台輪本体をその幅方向に貫通するようにして形成された換気孔とを備え、
前記換気孔は、その開口縁に向かって拡がるように形成されていることを特徴とする換気孔付き台輪。
【請求項２】  請求項１記載の換気孔付き台輪において、
前記換気孔は断面四角形状をなし、前記台輪本体の長手方向に互いに離間して複数並んで形成されていることを特徴とする換気孔付き台輪。
【請求項３】  請求項２記載の換気孔付き台輪において、
前記換気孔の両端の開口縁部を構成する四辺部のうち少なくとも対向する２つの辺部には、前記換気孔が該換気孔の開口縁に向かって拡がるようにテーパ部が設けられていることを特徴とする換気孔付き台輪。
・・・
【請求項５】  請求項１〜４のいずれかに記載の換気孔付き台輪において、
前記台輪本体はアンカーボルト挿通用の貫通穴を有し、前記貫通穴は、台輪本体の長手方向に細長い形状であることを特徴とする換気孔付き台輪。
・・・」（特許請求の範囲）
　
（１ｂ）
「図１〜図３に示す換気孔付き台輪１は、後述する基礎上端に敷き込まれて、基礎と基礎上に構築される建造物本体との間に介在され（図４参照）、台輪本体２と、この台輪本体２の長手方向両側にそれぞれ形成された接続部３，３と、台輪本体２に、台輪本体２の長手方向に沿って、台輪本体２の幅方向に貫通するように所定間隔を開けて設けられた換気孔４等とを備える。なお、換気孔４は、台輪１の両側面１ａ，１ｂに面した開口部４１と、開口部４１に連通し台輪本体２内を貫通する換気通路部４２とを有し、換気孔４の開口部４１は、開口縁に向かって、つまり台輪１の両側面１ａ，１ｂに向かって拡がるように形成されている。また、換気孔４の断面形状は四角形状、ここでは縦長の長方形となっている。このように換気孔４の断面形状が四角形状であるので、換気孔４を上下幅が同じの断面円状に形成した構成より、角部分の通気量が多くなり、その分の換気効率の向上を図ることができる。
　詳細には、台輪本体２は、長尺板状に形成され、後述する基礎（図４中、符号７で示す）の長手方向に沿って配置されるものである。また、台輪本体２は、台輪１の上下面を構成し、互いに離間して対向するように配置された板状の上面部材２１及び下面部材２２と、これら上下面部材２１，２２の間で、且つ上下面部材２１，２２に直交するように設けられた複数の仕切り壁部２３と、前記台輪本体２を基礎（図４で示す基礎７）に固定する釘孔５と、台輪本体２の長手方向に細長い形状に形成されたアンカーボルト挿通用の貫通穴６等とを備える。
　複数の仕切り壁部２３は、複数の換気孔４の間に配置された状態となり、互いに平行に離間している。つまり、仕切り壁部２３は複数の換気孔４を仕切っており、それぞれの側面２３１で上下面部材２１，２２の内側面ととも換気孔４を囲む周壁面を形成している。これら仕切り壁部２３において台輪本体２の幅方向側の端部２３ａ、つまり換気孔４の開口部４１を構成する部位２３ａには、仕切り壁部２３の側面２３１から端部２３ａの先端２３ｃに向かって下るテーパ部１５が設けられている。これにより仕切り壁部２３の端部２３ａは先端２３ｃに向かって先細りとなるように構成されている。
　また、上下面部材２１，２２において換気孔４の開口部４１を構成する部位２１ａ，２２ａ（仕切り壁部２３の端部２３ａとともに四辺部を構成）には、換気孔４が台輪本体２の両側面１ａ，１ｂの開口縁に向かって拡がるように、それぞれ内側面２１ｂ，２２ｂから外側面２１ｃ，２２ｃに向かって下るテーパ部１６が設けられている。これら上下面部材２１，２２及び仕切り壁部２３に設けられたテーパ部１５，１６によって換気孔４の両側の開口部４１の外径（側面１ａ，１ｂに面する開口縁の径）Ｂは換気通路部４２の径Ｃより広くなっており、換気通路部４２との接続部分から台輪側面１ａ，１ｂに向かって上下左右方向に漸次拡がるように形成されている。つまり換気孔４の開口縁の径Ｂは、換気通路部４２の径Ｃより大きくなっている。」（段落【００２２】〜【００２５】）
　
（１ｃ）
「・・・アンカーボルト用貫通穴６は、基礎と構造物本体とを接合するアンカーボルト１０（後述する：図４、図５参照）を挿通可能なものであり、平面視長穴状に径形成され、台輪本体２の長手方向に沿って所定間隔を開けながら、台輪本体を鉛直方向に貫通するようにして、複数箇所形成されている。そして、この貫通穴６は、長穴状の範囲内において、どの位置にでもアンカーボルト１０を挿通することができ、これによりアンカーボルト１０が立設された基礎の上面に換気孔付き台輪１を設置する際に、該換気孔付き台輪１の長手方向の位置設定作業を自由に行うことができる。」（段落【００２７】）
　
（１ｄ）
「前記台輪本体２の両端部に設けられた接続部３は、互いに接続可能に構成されており、換気孔付き台輪１を長手方向に連続して接合可能となっている。また、接続部３には、互いに嵌合する形状の嵌合部３１と被嵌合部３２とが設けられている。嵌合部３１は、台輪１の長手方向に向かって突出するように設けられ、台輪１の上下方向に延在する突条部３１ａを備える。また、被嵌合部３２は、台輪の上下方向に延在し、前記突条部３１ａと嵌合するように形成された溝部３２ａを備える。換気孔付き台輪１では、一方の接続部３の嵌合部３１と同一直線上に他方の接続部３の被嵌合部３２が配置され、一方の接続部３の被嵌合部３２と同一直線上に他方の接続部３の嵌合部３１が配置されている。つまり、接続部３に設けられている嵌合部３１と被嵌合部３２は、同形状の換気孔付き台輪１どうしを接合する際に、隣接する換気孔付き台輪１の接続部３の被嵌合部と嵌合部にそれぞれ嵌合し、接続される換気孔付き台輪どうしを同一直線上に延在するように接合する（図５参照）ものである。
　このように構成された台輪１によれば、同形状の台輪１を長手方向に接続する際に、一方の接続部３の嵌合部３１が他方の接続部３の被嵌合部３２と、また、一方の被嵌合部３２が他方の嵌合部３１と嵌合する。そして、これら嵌合部３１と被嵌合部３２とが嵌合することにより、突条部３１ａと溝部３２ａとが嵌合し、基礎上において一方の台輪が他方の台輪に対して台輪の幅方向への移動が抑制される。また、この台輪１は上下面を逆にした場合でも上下面を逆にしない場合と同様の形状となっている。よって上下面を逆にしても台輪１どうしを接続することができるので、台輪１の設置作業の際に、台輪１の上下面を確認しながら設置する手間を省くことができ、施工時間の短縮化が図られている。」（段落【００２８】〜【００２９】）
　
（１ｅ）
「なお、図示しないが換気孔付き台輪１は構築される構造物基礎の全周に設けられ、・・・この実施の形態における台輪１では、・・・仕切り壁部２３の厚み４ｍｍ、・・・換気孔４の換気通路部４２の左右幅７ｍｍとなっている。・・・」（段落【００３１】）
　
（１ｆ）
「図４は、換気孔付き台輪１が基礎上端に敷き込まれて、基礎と基礎上に構築される建造物本体との間に介在された状態を示す図である。図４に示すように、台輪１の上部には、建物の１階の床部８を構成する床パネル８１の端部８１ａと、該床パネル８１ａの側端面に当接するように配置された半土台８２とが載置され、床パネル８１の端部８１ａ及び半土台８２の上部には１階の壁部９を構成する壁パネル９１が立設されている。・・・」（段落【００３２】）
　
（１ｇ）
「・・・台輪本体２には、アンカーボルトを挿通させるための貫通穴６が、台輪本体の長手方向に沿って所定間隔をおきながら、台輪本体２を鉛直方向に貫通するようにして、複数箇所形成されているので、アンカーボルト１０の突出している部位の基礎上に台輪１を設置する際、前記複数の貫通穴６のうち、適当な位置の貫通穴６を選んでアンカーボルト１０を挿通させることにより、台輪１の設置位置を調整することができる。・・・」（段落【００３６】）
　
（１ｈ）
　上記記載事項（１ｄ）及び【図１】、【図２】等の図面の記載によれば、台輪本体２の両端には、接続部３の嵌合部３１と被嵌合部３２とが共に形成され、かつ、嵌合部３１と被嵌合部３２との形成位置は、台輪本体２の長手方向の向きを逆にしても連結できるようになっているものが示されている。
　
（１ｉ）
　【図４】の記載によれば、基礎７は「布基礎」であることが見てとれる。
　
　これらの記載事項（１ａ）〜（１ｉ）及び図面を含む刊行物１全体の記載並びに当業者の技術常識によれば、刊行物１には、以下の発明が記載されていると認められる。
　
　「幅方向に抜ける換気孔４が多数形成され、更に、台輪本体２の平面中央部には、アンカーボルト挿通用の貫通穴６が全長に亘って複数並べて形成されていて、布基礎７と半土台８２との間に、互に連結されて全長に亘って介装される、長尺の台輪本体２に於いて、換気孔４の断面形状は、縦長の長方形で、互に隣接させて、台輪本体２の全長に亘って多数連続状に形成され、かつ、換気孔４の端の口壁には、テーパが付されており、更に、通気孔は、左右の側壁と、上下壁との４方囲繞形態であり、更に、台輪本体２の両端には、接続部３の嵌合部３１と被嵌合部３２とが共に形成され、かつ、嵌合部３１と被嵌合部３２との形成位置は、台輪本体２の長手方向の向きを逆にしても連結できるようになっている長尺の台輪本体２。」（以下、「刊行物１記載の発明」という。）
　
　また、本願出願前に頒布され、原査定の拒絶の理由に引用された上記刊行物２には、図面とともに、以下のことが記載されている。
　
（２ａ）
「【請求項１】  全体として板状体に形成され、布基礎に設けられたアンカーボルトを挿通させるボルト孔を有し、
前記布基礎と土台との間に介在されて前記布基礎と前記土台との間に通気空隙を形成する土台スペーサにおいて、
前記ボルト孔が前記板状体の中心に対して非対称に位置され、
基準となる向きから１８０゜回転させて同一の位置に配置したとき、回転前における前記ボルト孔以外の部位に回転後の前記ボルト孔が重なるように構成されていることを特徴とする土台スペーサ。
【請求項２】  前記ボルト孔が複数設けられるとともに、前記土台の延設方向に沿った前記板状体の中心線上に所定間隔をおいて配置され、
基準となる向きから１８０゜回転させて同一の位置に配置したとき、回転前の前記ボルト孔に回転後の前記ボルト孔の一部が重複して連続的に配置されることを特徴とする請求項１記載の土台スペーサ。
・・・
【請求項５】  ２個を前記土台スペーサを端部同士をつき合わせて配列したときに、前記アンカーボルトを挿通させる孔を形成する切欠が前記端部に設けられていることを特徴とする請求項１〜４記載のいずれかに記載の土台スペーサ。
【請求項６】  粉状無機物を配合した樹脂で形成されたことを特徴とする請求項１〜５のいずれかに記載の土台スペーサ。」（特許請求の範囲）
　
（２ｂ）
「この発明においては、アンカーボルトが正規の位置に配置されていれば、ボルト孔を挿通させることができる。一方、アンカーボルトがずれて配置されていた場合、ボルト孔を挿通させることができないことがある。しかし、土台スペーサを１８０゜回転させて同一の位置に配置することにより、回転前のボルト孔以外の部位に回転後のボルト孔が配置されるので、ずれて配置されたアンカーボルトを挿通させることができる。
　・・・この発明では、連続して重複するボルト孔の範囲内であれば、どの位置にアンカーボルトが配置されていても、挿通させることができる。」（段落【００１０】〜【００１１】）
　
（２ｃ）
「【発明の実施の形態】・・・土台スペーサ２０は全体として平面視長方形の板状体であり、粉状の無機物である充填材、例えば５０％の炭酸カルシウムと５０％の対候性ポリプロピレンを配合した樹脂で射出成形したものである。そして、その長手方向（土台の延設方向）の中心線上にアンカーボルトを通すための２カ所のボルト孔２１，２１が所定間隔をおいて設けられている。
　土台スペーサ２０の上面には、外気を通過させるための一定幅の複数の通気溝２２，２３が等間隔で互いに直交するように設けられている。・・・さらに、土台スペーサ２０の一方の短辺には切欠２８が設けられている。・・・」（段落【００１６】〜【００１７】）
　
（２ｄ）
「ボルト孔２１，２１は図２に示すように内隅が角取りされた略矩形状の孔であって、長手方向に沿った両内縁にはそれぞれ半円状の切欠２６が設けられる。・・・
　また、図５に示すように、この土台スペーサ２０は１８０゜回転させることにより、アンカーボルトの位置ずれに対してより広い範囲で対応することができるようになっている。すなわち、ボルト孔２１，２１は、土台スペーサ２０の中心に対して非対称となるように位置されている。土台スペーサ２０を基準となる向きから１８０゜回転させて同一の位置に配置したとき、回転前におけるボルト孔２１以外の部位に回転後のボルト孔２１′が重複されるようになっている。ここでは、上から順にボルト孔２１，２１′，２１，２１′のように連続的に重複し、距離ｄの範囲内であればアンカーボルトがどの位置にあってもボルト孔２１又は２１′を挿通させることができる。」（段落【００１８】〜【００１９】）
　
（２ｅ）
「このように土台スペーサ２０によって布基礎１と土台２が分離し、その間に通気空隙ｓが形成されるとともに、土台スペーサ２０の通気溝２２，２３（図１）が通風路を形成し、通気性が改善されて防湿性と排水性が高まり、木製の土台２の腐食を防止し得る。・・・さらに、土台スペーサ２０は、粉状の無機物である炭酸カルシウムを配合した樹脂で成形されているので、建築物の荷重を支持し得る十分な強度が得られる。
　・・・アンカーボルトが布基礎１の長手方向にずれた位置４Ｃ又は４Ｆに配置されていた場合、このままではボルト孔２１を挿通させることができない。
　しかし、図９に示すように土台スペーサ２０を１８０゜回転させて同一の位置に配置することにより、回転前のボルト孔２１以外の部位に回転後のボルト孔２１′が配置されるので、位置４Ｃ又は４Ｆに配置されたアンカーボルトを挿通させることができる。・・・
　このように、土台スペーサ２０では、ボルト孔２１を必要以上に大きく設けることなく、広範囲のアンカーボルトの位置ずれに対応しつつ、土台に対して広い接触面積を確保して十分な強度を得ることができる。また、土台スペーサ２０は１８０゜回転するだけであって、所定の位置から動かないので、荷重を支持する位置、例えば柱３（図７）の直下から外れることはない。」（段落【００２２】〜【００２５】）
　
　これらの記載事項（２ａ）〜（２ｅ）を総合すると、刊行物２には、以下の発明が記載されていると認められる。
　
　「合成樹脂製の土台スペーサ２０（本願補正発明の「基礎パッキン」に相当。以下同様。）であって、複数のボルト孔２１，２１（「アンカーボルト用の孔」に相当）の形成位置は、土台スペーサ２０の長手方向に非対称になっていると共に、短辺に設けられた切欠２８（「両端部に位置するアンカーボルト用の孔のうち一方」に相当）が端部方向に開放されており、複数のボルト孔２１，２１と、アンカーボルトの位置とが合わない場合には、向きを逆にすることにより、合わせることができる土台スペーサ２０。」（以下、「刊行物２記載の発明」という。）
　
［３］対比
　本願補正発明と刊行物１記載の発明とを比較すると、その機能及び作用からみて、刊行物１記載の発明の「換気孔４」、「台輪本体２」、「アンカーボルト挿通用の貫通穴６」、「縦長の長方形」、「接続部３の嵌合部３１と被嵌合部３２」は、それぞれ、本願補正発明の「通気孔」、「基礎パッキン」、「アンカーボルト用の孔」、「やや縦長の４角形」、「連結用の凸部と凹部」に相当する。
　また、刊行物１記載の発明の「半土台８２」は「土台」の一形態であることから、本願補正発明の「土台」に相当している。
　
　そうすると、両者は、
　「幅方向に抜ける通気孔が多数形成され、更に、基礎パッキンの平面中央部には、アンカーボルト用の孔が全長に亘って複数並べて形成されていて、布基礎と土台との間に、互に連結されて全長に亘って介装される、長尺の基礎パッキンに於いて、通気孔の断面形状は、やや縦長の４角形で、互に隣接させて、基礎パッキンの全長に亘って多数連続状に形成され、かつ、通気孔の端の口壁には、テーパが付されており、更に、基礎パッキンの両端には、連結用の凸部と凹部とが共に形成され、かつ、凸部と凹部との形成位置は、基礎パッキンの長手方向の向きを逆にしても連結できるようになっている長尺の基礎パッキン。」
の点で一致し、次の点で相違している。
　
＜相違点１＞
　「基礎パッキン」について、本願補正発明では「合成樹脂製」であるのに対して、刊行物１記載の発明では不明である点。
＜相違点２＞
　「通気孔」の形状について、本願補正発明では、「左右の側壁と、上下いずれか一方の壁との３方囲繞形態」であるのに対して、刊行物１記載の発明では、「左右の側壁と、上下壁との４方囲繞形態」である点。
＜相違点３＞
　「複数のアンカーボルト用の孔」の形成位置について、本願補正発明では、「基礎パッキンの長手方向に非対称になっていると共に、両端部に位置するアンカーボルト用の孔のうち一方が端部方向に開放されており、アンカーボルト用の孔と、アンカーボルトの位置とが合わない場合には、向きを逆にして連結することにより、合わせることができ」るのに対し、刊行物１記載の発明では、そのような構成となっていない点。
　
［４］判断 
　上記各相違点について検討する。
　
＜相違点１について＞
　刊行物２記載の発明では、合成樹脂製の土台スペーサ２０（「基礎パッキン」に相当）が開示されている。
　してみると、刊行物１記載の発明において、基礎パッキン（台輪本体２）を合成樹脂製とすることは、必要に応じて適宜なし得るものであり、格別の困難性はない。
　
＜相違点２について＞
　土台と基礎との間に介装される基礎パッキンの通気孔の形状について、「左右の側壁と、上下いずれか一方の壁との３方囲繞形態」であるものは従来周知である（例えば、実願平４−９２７９８号（実開平６−４７４１１号）のＣＤ−ＲＯＭ、特開２０００−２４０１７７号公報等参照）。
　してみると、刊行物１記載の発明において、基礎パッキン（台輪本体２）の通気孔の形状として、「左右の側壁と、上下いずれか一方の壁との３方囲繞形態」であるものを採用することは、必要に応じて適宜なし得るものであり、格別の困難性はない。
　
＜相違点３について＞
　刊行物２記載の発明では、複数のボルト孔２１，２１（「アンカーボルト用の孔」に相当）の形成位置は、土台スペーサ２０（「基礎パッキン」に相当）の長手方向に非対称になっていると共に、短辺に設けられた切欠２８（「両端部に位置するアンカーボルト用の孔のうち一方」に相当）が端部方向に開放されており、複数のボルト孔２１，２１と、アンカーボルトの位置とが合わない場合には、向きを逆にすることにより、合わせることができるものが開示されている。
　一方、刊行物１記載の発明は、長尺の基礎パッキン（台輪本体２）であるが、長尺であるがゆえに設置に融通性がなく、アンカーボルト用の孔（アンカーボルト挿通用の貫通穴６）とアンカーボルトの位置が合わない場合に対応できないことは十分に想定されるところである。
　してみると、刊行物１記載の発明において、アンカーボルト用の孔（アンカーボルト挿通用の貫通穴６）とアンカーボルトの位置が合わない場合に対応するために、刊行物２記載の発明に基づいて、アンカーボルト用の孔（アンカーボルト挿通用の貫通穴６）の形成位置を、基礎パッキン（台輪本体２）の長手方向に非対称としたり、両端部に位置するアンカーボルト用の孔のうち一方が端部方向に開放されるようにしたりして、向きを逆にして対応できるように構成することは、当業者ならば容易に想到し得るものである。
　
　そして、本願補正発明の効果も、刊行物１記載の発明、刊行物２記載の発明及び周知技術から当業者が予測し得る範囲のものであって格別なものということができない。
　
　したがって、本願補正発明は、刊行物１記載の発明、刊行物２記載の発明及び周知技術に基づいて当業者が容易に発明をすることができたものであるから、特許法第２９条第２項の規定により特許出願の際独立して特許を受けることができないものである。
　
［５］むすび
　以上のとおり、本件補正は、平成１８年法律第５５号改正附則第３条第１項によりなお従前の例によるとされる同法による改正前の特許法第１７条の２第５項において準用する同法第１２６条第５項の規定に適合しないので、同法第１５９条第１項において読み替えて準用する同法第５３条第１項の規定により却下すべきものである。
　よって、上記［補正の却下の決定の結論］のとおり、決定する。
　
【３】本願発明について
　平成１９年６月１１日付けの手続補正は上記のとおり却下されたので、本願の請求項１に係る発明（以下、「本願発明」という。）は、平成１８年９月４日付けの手続補正書によって補正された特許請求の範囲の請求項１に記載された事項により特定される、以下のとおりのものである。
　
（本願発明）
「幅方向に抜ける通気孔が多数形成され、更に、基礎パッキンの平面中央部には、アンカーボルト用の孔が全長に亘って複数並べて形成されていて、布基礎と土台との間に、互いに連結されて全長に亘って介装される長尺の基礎パッキンに於いて、
複数のアンカーボルト用の孔の形成位置は、基礎パッキンの長手方向に非対称になっていると共に、両端部に位置するアンカーボルト用の孔のうち一方が端部方向に開放されており、更に、基礎パッキンの両端には、連結用の凸部と凹部とが共に形成され、かつ、凸部と凹部との形成位置は、基礎パッキンの長手方向の向きを逆にしても連結できるようになっていることを特徴とする長尺の基礎パッキン。」
　
［１］引用刊行物
　原査定の拒絶の理由に引用された刊行物１及び刊行物２の記載事項は、前記「【２】［２］」に記載したとおりである。
　
［２］対比・判断
　本願発明は、前記「【２】」で検討した本願補正発明から、「基礎パッキンが合成樹脂製」である点、「通気孔の断面形状が、やや縦長の４角形で、互に隣接させて、基礎パッキンの全長に亘って多数連続状に形成され、かつ、通気孔の端の口壁には、テーパが付されており、更に、通気孔は、左右の側壁と、上下いずれか一方の壁との３方囲繞形態」である点、及び「アンカーボルト用の孔と、アンカーボルトの位置とが合わない場合には、向きを逆にして連結することにより、合わせることができる」点を省略したものである。
　してみると、本願発明の発明特定事項を全て含み、さらに他の構成要件を付加したものに相当する本願補正発明が、前記「【２】［４］判断」に記載したとおり、刊行物１記載の発明、刊行物２記載の発明及び周知技術に基づいて、当業者が容易に発明をすることができたものであるから、本願発明も同様の理由により、刊行物１記載の発明、刊行物２記載の発明及び周知技術に基づいて、当業者が容易に発明をすることができたものである。
　
　なお、審判請求人は、平成２１年１月９日付けの回答書において補正案を提示しているが、通気孔の断面形状について、孔を区画する壁の厚み寸法を通気孔の幅寸法より小さくすることは、上記記載事項（１ｅ）にあるように刊行物１に記載されており、格別の顕著性はない。よって、補正案による請求項１に係る発明は、刊行物１記載の発明、刊行物２記載の発明及び周知技術に基づいて当業者が容易に発明をすることができたものといわざるを得ないから、審判請求人に補正案のとおりに補正する用意があるとしても、当審よりさらなる通知をすべき特別な事情を見出すことはできない。
　
［３］むすび
　以上のとおり、本願発明は、刊行物１記載の発明、刊行物２記載の発明及び周知技術に基づいて当業者が容易に発明をすることができたものであり、特許法第２９条第２項の規定により特許を受けることができないから、他の請求項に係る発明について検討するまでもなく、本願は、拒絶されるべきものである。
　よって、結論のとおり審決する。